(57)【要約】【課題】立位着用状態での前身頃裾部分における裾のだぶりが無く、前身頃、後身頃ともに直線的ですっきりとした審美性を有する下衣を提供する。【解決手段】左右一対の身頃からなる下衣であって、それぞれの身頃は前身頃と後身頃から構成されている下衣において、前中心線と裾下線の交点が、後中心線と裾下線の交点より高い位置にあることを特徴とする特殊な下衣。【選択図】図２
2004091941.tif 000002
【特許請求の範囲】
【請求項１】
左右一対の身頃からなる下衣であって、それぞれの身頃は前身頃と後身頃から構成されている下衣において、前中心線と裾下線の交点が、後中心線と裾下線の交点より高い位置にあることを特徴とする下衣。
【請求項２】
前中心線と裾下線の交点と、後中心線と裾下線の交点の高さの差が足の甲の高さ以下であることを特徴とする請求項１に記載の下衣。
【請求項３】
下衣が長ズボンであることを特徴とする請求項１または２に記載の下衣。
【発明の詳細な説明】
【０００１】
【発明の属する技術分野】
本発明は立位着用状態において、前身頃裾部分のだぶりが無いようにした特殊な裾形状を有する下衣に関するものである。
【０００２】
【従来の技術】
従来の下衣の大半は立位姿勢の着用状態を基本に、機能性の面では着用時の着心地の良さ、動き易さなどに主眼を置き衣服設計されている。また、審美性の面でもやはり立位状態での見た目の美しさなどを中心にパターンメイクおよび製造がなされているのが現状である。
【０００３】
実際の着用状況を見てみると、スラックス、パンツなどの下衣の裾は、着用する人の体型、および好みに応じて裾上げして着用される。ズボン丈は着用者の好み、および下衣のデザインによって多少の差はあるものの、通常は靴未着用の立位着用状態において足くるぶしより下の長さで裾上げされる。最近では長めの裾が好まれる傾向にあるため、立位着用状態で床すれすれの長さが多いようである。また、裾下線は脇線または内股線に対して垂直に交わっており、前中心線と裾下線の交点と後中心線と裾下線の交点の高さに差は無く、直線形状である。このために、例えば床すれすれの長さで裾上げされると、後身頃側では問題ないが、前身頃の裾部分において、裾のだぶりが発生してしまう。これは前身頃側には足の甲が有るためにその分がだぶっているためであり、見た目としてはすっきりしない不格好であるという問題があった。
【０００４】
【発明が解決しようとする課題】
本発明の課題は、上記従来の問題点を解決しようとするものであり、立位着用状態での前身頃裾部分における裾のだぶりが無く、前身頃、後身頃ともに直線的ですっきりとした審美性を有する下衣を提供することにある。
【０００５】
【課題を解決するための手段】
本発明は、前記した課題を達成するため、以下の手段を採用する。すなわち、
（１）左右一対の身頃からなる下衣であって、それぞれの身頃は前身頃と後身頃から構成されている下衣において、前中心線と裾下線の交点が、後中心線と裾下線の交点より高い位置にあることを特徴とする下衣。
（２）前中心線と裾下線の交点と、後中心線と裾下線の交点の高さの差が足の甲の高さ以下であることを特徴とする前記（１）に記載の特下衣。
（３）下衣が長ズボンであることを特徴とする前記（１）または（２）に記載の下衣である。
【０００６】
【発明の実施の形態】
以下に、本発明の特殊な裾形状を有する下衣について男性用スラックスの図を例にして詳細に説明する。
【０００７】
本発明における下衣は図１（図１の（ａ）は前身頃、（ｂ）は後身頃を示す）に示すように、左身頃および右身頃の一対の身頃からなる下衣であって、左身頃は左前身頃と左後身頃よりなり、右身頃は右前身頃と右後身頃よりなるものであり、すなわち、少なくとも、右前身頃１、左前身頃２、右後身頃３、左後身頃４の前身頃２枚、後身頃２枚のパーツよりなる。
【０００８】
本発明における前中心線とは、図１において符号５、５’で示すとおり、左右身頃のそれぞれの前身頃の幅方向中心に位置する線である。具体的には前身頃と後身頃は脇１１と内股１２で接ぎ合わされており、それぞれの接ぎ線を合わせて置いたときに落ち着く前身頃幅方向中心線のことである。一般的には、アイロン・プレスによってプリーツが付けられている。また、タックを有するスラックスの場合はこのプリーツがタックの折り目と連続しており、裾部分からウエストベルト付け位置まで達しているのが通常である。本発明においてはこの前中心線は通常と同形状でかまわない。
【０００９】
また、本発明における後中心線とは、図１において符号６、６’で示すとおり、左右身頃のそれぞれの後身頃の幅方向中心に位置する線である。具体的には前身頃と後身頃は脇１１と内股１２で接ぎ合わされており、それぞれの接ぎ線を合わせて置いたときに落ち着く後身頃幅方向中心線のことである。スラックスの場合はこのプリーツが裾部分から、ウエスト上端から２／３程度下がった尻部分まで達しているのが通常である。本発明においてはこの後中心線は通常と同形状でかまわない。
【００１０】
本発明における裾下線とは、図２、図３、図５において符号８で示すとおり、下衣の裾の線のことである。
【００１１】
また、前中心線と裾下線の交点とは、図２、図３、図５において示す符号９のことであり、後中心線と裾下線との交点とは、図２、図３、図５において示す符号１０のことである。
【００１２】
図３は通常のスラックス、パンツの裾形状を示したものであるが、図３を見ても分かるとおり、前中心線と裾下線の交点９と、後中心線と裾下線の交点１０との高さの差は０ｃｍであり、高さは同じである。
【００１３】
本発明における裾形状は図２に示すような形状であり、前中心線と裾下線の交点９と、後中心線と裾下線の交点１０との高さに差を有するようしたものである。この高さの差ｄは足の甲の高さ以下であり、より好ましくは３ｃｍ以上８ｃｍ以下である。これは着用者が履く靴の形状、甲の高さによって異なるが、一般的な場合８ｃｍより大きくなると、後中心線と裾下線の交点を床すれすれに合わせた場合、図４の（ａ）に示すように、前中心線と裾下線の交点９が上に位置しすぎて交点９と甲との間に浮きを生じ、不格好に見える。また、逆に前中心線を甲の高さに合わせると図４の（ｂ）に示すように、後中心線と裾下線の交点１０が下に位置しすぎるために、床にすれてしまうといった問題が発生する。また、この高さの差が３ｃｍより小さくなると、後中心線と裾下線の交点を床すれすれに合わせた場合、図５（ａ）に示すように前身頃と裾下線の交点９と甲の間にだぶりを生じ、本発明の効果が得られない。また逆に前中心線を甲の高さに合わせると図５（ｂ）に示すように、後中心線と裾下の交点１０と床の間に浮きを生じ、不格好に見える。なお、本発明における足の甲の高さとは図６に示すｅの高さで示されるものであり、床から外果点１３までの高さのことをいう。ここでいう外果点とは脇側足くるぶしの最も突出した部分のことをいう。
【００１４】
裾下線の形状としては、前身頃裾部分のだぶりを減少させることが目的のため、図７に示すような直線形状など、どのような形状でも構わないが、着用時により自然な形状に見えることから、図２に示すような、前中心線５、５’から前身頃と後身頃とが接ぎ合わされている脇に向かって漸次勾配が大きくなり、脇から後中心線６、６’に向かって漸次勾配が小さくなるようなカーブを有する形状であることがより好ましい。
【００１５】
【実施例】
以下、本発明の特殊な裾形状を有する下衣について実施例および比較例に基づいてて説明する。
【００１６】
なお、実施例、比較例ともに全て同じ素材（ウール１００％の平織物）を用いて各条件に基づく形状のスラックスを作成した。続いてそれらのスラックスを、同一の被験者が着用し、さらに同一の靴を履いた状態で着用時の状態を視覚判定した。被験者の各部位寸法は次のとおりである。足甲の高さ：５ｃｍ、股下の長さ：７８ｃｍ。また靴の寸法は次のとおりである。足甲の高さ：７ｃｍ、靴底の高さ（甲下部分）：１．８ｃｍ、靴底の高さ（かかと下部分）：３．５ｃｍ
［実施例１］
表１に示すように、後中心線の長さ：７８ｃｍ、前中心線の長さ：７０ｃｍ、前中心線と裾下線の交点と後中心線と裾下線の交点の高さの差：８ｃｍ、裾下線の形状：曲線のスラックスを着用し、スラックスの裾部を視覚判定した。結果、着用時の前身頃裾部分だぶりが無くすっきりとした裾形状を得た。
【００１７】
［実施例２］
表１に示すように、後中心線の長さ：７８ｃｍ、前中心線の長さ：７０ｃｍ、前中心線と裾下線の交点と後中心線と裾下線の交点の高さの差：８ｃｍ、裾下線の形状：直線のスラックスを着用し、スラックスの裾部を視覚判定した。結果、着用時の前身頃裾部分だぶりが無くすっきりとした裾形状を得た。
【００１８】
［比較例１］
表１に示すように、後中心線の長さ：７８ｃｍ、前中心線の長さ：７８ｃｍ、前中心線と裾下線の交点と後中心線と裾下線の交点の高さの差：０ｃｍ、裾下線の形状：直線のスラックスを着用し、スラックスの裾部を視覚判定した。結果、着用時の前身頃裾部分だぶりが見られる不格好な裾形状を得た。
【００１９】
【表１】
2004091941.tif 000003
【００２０】
【発明の効果】
本発明により立位着用状態での前身頃裾部分における裾のだぶりが無く、前身頃・後身頃ともに直線的ですっきりとした審美性を有する下衣を得ることができる。
【図面の簡単な説明】
【図１】下衣の全体正面図であり、（ａ）は前身頃、（ｂ）は後身頃を示す。
【図２】本発明の下衣裾形状の一例を示す側面図である。
【図３】通常の下衣裾形状の一例を示す側面図である。
【図４】（ａ）は前身頃裾端が浮いた状態を示す側面図であり、（ｂ）は後身頃裾端が床にすれる状態を示す側面図である。
【図５】（ａ）は前身頃裾端だぶりの状態を示す側面図であり、（ｂ）は後身頃裾端が浮いた状態を示す側面図である。
【図６】人体の左足を図示したものであり、（ａ）は脇側から見た側面図であり、（ｂ）は前方から見た前面図である。
【図７】本発明の裾線が直線の裾形状の一例を示す側面図である。
【符号の説明】
１：下衣の右前身頃
２：下衣の左前身頃
３：下衣の右後身頃
４：下衣の左後身頃
５：左身頃の前中心線
５’：左身頃の前中心線
６：右身頃の後中心線
６’：左身頃の後中心線
７：裾下線
８：裾下線
９：前中心線と裾下線の交点
１０：後中心線と裾下線の交点
１１：脇
１２：内股
１３：外果点
ｄ：前中心線と裾下線の交点９と後中心線と裾下線の交点１０との高さの差
ｅ：足の甲の高さ
【図１】
2004091941.tif 000004
【図２】
2004091941.tif 000005
【図３】
2004091941.tif 000006
【図４】
2004091941.tif 000007
【図５】
2004091941.tif 000008
【図６】
2004091941.tif 000009
【図７】
2004091941.tif 000010